(57)【特許請求の範囲】
【請求項１】
ＣＤＭＡ移動通信システムにおける交換機とＩＷＦ部（ｉｎｔｅｒ  ｗｏｒｋｉｎｇ  ｆｕｎｃｔｉｏｎ）との間のＥ１チャネル割当装置であって、
呼処理データを受信して格納するチャネルバッファと、
呼処理データを前記ＩＷＦ部に送信する時、５チャネルからなる送信用スーパーチャネルを運用するか、若しくは、１０チャネルからなる送信用スーパーチャネルを運用するかに対するＥ１チャネル割当情報を格納する送信用ＳＩ  ＲＡＭ（ｓｅｒｉａｌ  ｉｎｔｅｒｆａｃｅ  ｒｏｕｔｉｎｇ  ＲＡＭ）と、
前記ＩＷＦ部から送信された前記呼処理データを受信する時、５チャネルからなる受信用スーパーチャネルを運用するか、若しくは、１０チャネルからなる受信用スーパーチャネルを運用するかに対する情報をさらに含む前記Ｅ１チャネル割当情報を格納する受信用ＳＩＲＡＭと、
前記チャネルバッファに格納された前記呼処理データを読み出した後、受信された呼処理データを格納し、現在処理過程にある多数の呼類型に高速の呼と低速の呼との中、どちらの方がより多く含まれているかを判断して、前記送信用ＳＩＲＡＭと前記受信用ＳＩ  ＲＡＭとの各々に格納された前記Ｅ１チャネル割当情報を変更させる通信プロセッサと、
前記送信用ＳＩ  ＲＡＭと前記受信用ＳＩ  ＲＡＭとの各々に格納された前記Ｅ１チャネル割当情報を読み出し、前記Ｅ１チャネルに５チャネルからなる低速用スーパーチャネルを割当てるか、１０チャネルからなる高速用スーパーチャネルを割当てる多重チャネル制御部と、
前記呼処理データを前記通信プロセッサから受信すると同時に直列データに変換した後、該当スーパーチャネルを介して前記ＩＷＦ部に伝送する一方、前記ＩＷＦ部から該当スーパーチャネルを介して呼処理データを受信して並列データに変換した後、前記通信プロセッサに伝送する直並列変換部（ｓｅｒｉａｌ−ｐａｒａｌｌｅｌ  ｃｏｎｖｅｒｔｉｎｇ  ｕｎｉｔ）と
を具えたことを特徴とするＣＤＭＡ移動通信システムにおける交換機とＩＷＦ部との間のＥ１チャネル割当装置。
【請求項２】
前記送信用ＳＩ  ＲＡＭは、
５チャネルからなる送信用スーパーチャネルに関するＥ１チャネル割当情報を格納する第１低速用スーパーチャネル格納領域と、
１０チャネルからなる送信用スーパーチャネルに関するＥ１チャネル割当情報を格納する第１高速用スーパーチャネル格納領域と
を具えたことを特徴とする請求項１記載のＣＤＭＡ移動通信システムにおける交換機とＩＷＦ部との間のＥ１チャネル割当装置。
【請求項３】
前記受信用ＳＩ  ＲＡＭは、
５チャネルからなる受信用スーパーチャネルに関するＥ１チャネル割当情報を格納する第２低速用スーパーチャネル格納領域と、
１０チャネルからなる受信用スーパーチャネルに関するＥ１チャネル割当情報を格納する第２高速用スーパーチャネル格納領域と
を具えたことを特徴とする請求項１記載のＣＤＭＡ移動通信システムにおける交換機とＩＷＦ部との間のＥ１チャネル割当装置。
【請求項４】
ＣＤＭＡ移動通信システムにおける交換機とＩＷＦ部との間のＥ１チャネル割当方法であって、
通信プロセッサが上位プロセッサから現在処理中の多数個の呼類型に対する呼類型情報を受信するステップと、
前記通信プロセッサが現在処理中の多数個の呼類型から高速の呼がより多く含まれているか、低速の呼がより多く含まれているかに対する前記呼類型情報を利用して把握するステップと、
現在処理中の多数個の呼類型で高速の呼がより多ければ、前記通信プロセッサが前記各々の送／受信用ＳＩ  ＲＡＭの第１、２高速用スーパーチャネル格納領域を活性領域（ａｃｔｉｖｅ  ｚｏｎｅ）に指定すると共に、前記各々の送／受信ＳＩ  ＲＡＭの第１、２低速用スーパーチャネル格納領域をシャドーゾン（ｓｈａｄｏｗ  ｚｏｎｅ）に指定するステップと、
前記多重チャネル制御部が前記各々の送／受信ＳＩ  ＲＡＭに格納された第１、２高速用スーパーチャネル格納領域のＥ１チャネル割当情報を読み出した後、そのＥ１チャネル割当情報に応じてＥ１チャネルに高速用１０チャネルのスーパーチャネルを割当てるステップと
を具えたことを特徴とするＣＤＭＡ移動通信システムにおける交換機とＩＷＦ部との間のＥ１チャネル割当方法。
【請求項５】
現在処理中の多数個の呼類型で高速の呼がより多ければ、前記通信プロセッサが前記各々の送／受信用ＳＩ  ＲＡＭの第１、２高速用スーパーチャネル格納領域を活性領域に指定すると共に、前記各々の送／受信ＳＩ  ＲＡＭの第１、２低速用スーパーチャネル格納領域をシャドーゾンに指定する前記ステップは、
現在処理中の多数個の呼の中で低速の呼が多ければ、前記通信プロセッサが前記各々の送／受信ＳＩ  ＲＡＭの第１、２低速用スーパーチャネル格納領域を活性領域に指定すると共に、前記各々の送／受信ＳＩ  ＲＡＭの第１、２高速用スーパーチャネル格納領域をシャドーゾンに指定するステップと、
前記多重チャネル制御部が前記各々の送／受信ＳＩ  ＲＡＭに格納された第１、２低速用スーパーチャネル格納領域のＥ１チャネル割当情報を読み出した後、そのＥ１チャネル割当情報に応じてＥ１チャネルに低速用５チャネルのスーパーチャネルを割当てるステップと
をさらに含むことを特徴とする請求項４記載のＣＤＭＡ移動通信システムにおける交換機とＩＷＦ部との間のＥ１チャネル割当方法。
【発明の詳細な説明】
【０００１】
【発明が属する技術分野】
本発明は、コード分割多重接続（Ｃｏｄｅ  Ｄｉｖｉｓｉｏｎ  Ｍｕｌｔｉｐｌｅ  Ａｃｃｅｓｓ：以下ＣＤＭＡという）移動通信システムにおける交換機とＩＷＦ部との間のチャネル割当装置及びその方法に関し、さらに詳細には、ＣＤＭＡ移動通信システムにおける交換機とＩＷＦ部との間のＥ１チャネル割当装置、および、その方法に関する。
【０００２】
【従来の技術】
現在サービス中のＣＤＭＡ無線データサービスは、低速（８／１３Ｋｂｐｓ）を支援するＩＳ−９５Ａ規格に基づいて提供されている。ＩＳ−９５Ｂ規格に基づいたＣＤＭＡ無線データサービスは、６４Ｋｂｐｓの高速に提供されるので、同じ時間に処理されるデータが相対的にさらに多いと予想される。
【０００３】
【発明が解決しようとする課題】
現在、交換機とＩＷＦ部との間にチャネルを割当てる方式では、５個のチャネルを一つのスーパーチャネルに割当てるＥ１チャネル割当方式が用いられている。
【０００４】
Ｅ１チャネル割当方式は、ＩＳ−９５Ａに基づいた低速データサービスに好適であるが、この割当方式がＩＳ−９５Ｂに基づいた高速データサービスに用いられる場合、同じ時間帯に処理しなければならないデータ量の増加によってトラフィック経路輻輳が頻繁に生じることによって、電話接続がよく切れて移動通信サービスの質が低下する問題点がある。
【０００５】
そこで、本発明の目的は、可変的なＥ１スーパーチャネル割当を行うことによって、低速のＩＳ−９５Ａと高速のＩＳ−９５Ｂとのシステム全てに対して支援し、質の高い移動通信サービスを得ることが可能な、ＣＤＭＡ移動通信システムにおける交換機とＩＷＦ部との間のＥ１チャネル割当装置、および、その方法を提供することにある。
【０００６】
【課題を解決するための手段】
本発明は、ＣＤＭＡ移動通信システムにおける交換機とＩＷＦ部（ｉｎｔｅｒｗｏｒｋｉｎｇ  ｆｕｎｃｔｉｏｎ）との間のＥ１チャネル割当装置であって、呼処理データを受信して格納するチャネルバッファと、呼処理データを前記ＩＷＦ部に送信する時、５チャネルからなる送信用スーパーチャネルを運用するか、若しくは、１０チャネルからなる送信用スーパーチャネルを運用するかに対するＥ１チャネル割当情報を格納する送信用ＳＩ  ＲＡＭ（ｓｅｒｉａｌ  ｉｎｔｅｒｆａｃｅ  ｒｏｕｔｉｎｇ  ＲＡＭ）と、前記ＩＷＦ部から送信された前記呼処理データを受信する時、５チャネルからなる受信用スーパーチャネルを運用するか、若しくは、１０チャネルからなる受信用スーパーチャネルを運用するかに対する情報をさらに含む前記Ｅ１チャネル割当情報を格納する受信用ＳＩＲＡＭと、前記チャネルバッファに格納された前記呼処理データを読み出した後、受信された呼処理データを格納し、現在処理過程にある多数の呼類型に高速の呼と低速の呼との中、どちらの方がより多く含まれているかを判断して、前記送信用ＳＩ  ＲＡＭと前記受信用ＳＩ  ＲＡＭとの各々に格納された前記Ｅ１チャネル割当情報を変更させる通信プロセッサと、前記送信用ＳＩ  ＲＡＭと前記受信用ＳＩ  ＲＡＭとの各々に格納された前記Ｅ１チャネル割当情報を読み出し、前記Ｅ１チャネルに５チャネルからなる低速用スーパーチャネルを割当てるか、１０チャネルからなる高速用スーパーチャネルを割当てる多重チャネル制御部と、前記呼処理データを前記通信プロセッサから受信すると同時に直列データに変換した後、該当スーパーチャネルを介して前記ＩＷＦ部に伝送する一方、前記ＩＷＦ部から該当スーパーチャネルを介して呼処理データを受信して並列データに変換した後、前記通信プロセッサに伝送する直並列変換部（ｓｅｒｉａｌ−ｐａｒａｌｌｅｌ  ｃｏｎｖｅｒｔｉｎｇ  ｕｎｉｔ）とを具えることによって、ＣＤＭＡ移動通信システムにおける交換機とＩＷＦ部との間のＥ１チャネル割当装置を構成する。
【０００７】
ここで、前記送信用ＳＩ  ＲＡＭは、５チャネルからなる送信用スーパーチャネルに関するＥ１チャネル割当情報を格納する第１低速用スーパーチャネル格納領域と、１０チャネルからなる送信用スーパーチャネルに関するＥ１チャネル割当情報を格納する第１高速用スーパーチャネル格納領域とを具えてもよい。
【０００８】
前記受信用ＳＩ  ＲＡＭは、５チャネルからなる受信用スーパーチャネルに関するＥ１チャネル割当情報を格納する第２低速用スーパーチャネル格納領域と、１０チャネルからなる受信用スーパーチャネルに関するＥ１チャネル割当情報を格納する第２高速用スーパーチャネル格納領域とを具えてもよい。
【０００９】
本発明は、ＣＤＭＡ移動通信システムにおける交換機とＩＷＦ部との間のＥ１チャネル割当方法であって、通信プロセッサが上位プロセッサから現在処理中の多数個の呼類型に対する呼類型情報を受信するステップと、前記通信プロセッサが現在処理中の多数個の呼類型から高速の呼がより多く含まれているか、低速の呼がより多く含まれているかに対する前記呼類型情報を利用して把握するステップと、現在処理中の多数個の呼類型で高速の呼がより多ければ、前記通信プロセッサが前記各々の送／受信用ＳＩ  ＲＡＭの第１、２高速用スーパーチャネル格納領域を活性領域（ａｃｔｉｖｅ  ｚｏｎｅ）に指定すると共に、前記各々の送／受信ＳＩ  ＲＡＭの第１、２低速用スーパーチャネル格納領域をシャドーゾン（ｓｈａｄｏｗ  ｚｏｎｅ）に指定するステップと、前記多重チャネル制御部が前記各々の送／受信ＳＩ  ＲＡＭに格納された第１、２高速用スーパーチャネル格納領域のＥ１チャネル割当情報を読み出した後、そのＥ１チャネル割当情報に応じてＥ１チャネルに高速用１０チャネルのスーパーチャネルを割当てるステップとを具えることによって、ＣＤＭＡ移動通信システムにおける交換機とＩＷＦ部との間のＥ１チャネル割当方法を提供する。
【００１０】
ここで、現在処理中の多数個の呼類型で高速の呼がより多ければ、前記通信プロセッサが前記各々の送／受信用ＳＩ  ＲＡＭの第１、２高速用スーパーチャネル格納領域を活性領域に指定すると共に、前記各々の送／受信ＳＩ  ＲＡＭの第１、２低速用スーパーチャネル格納領域をシャドーゾンに指定する前記ステップは、現在処理中の多数個の呼の中で低速の呼が多ければ、前記通信プロセッサが前記各々の送／受信ＳＩ  ＲＡＭの第１、２低速用スーパーチャネル格納領域を活性領域に指定すると共に、前記各々の送／受信ＳＩ  ＲＡＭの第１、２高速用スーパーチャネル格納領域をシャドーゾンに指定するステップと、前記多重チャネル制御部が前記各々の送／受信ＳＩ  ＲＡＭに格納された第１、２低速用スーパーチャネル格納領域のＥ１チャネル割当情報を読み出した後、そのＥ１チャネル割当情報に応じてＥ１チャネルに低速用５チャネルのスーパーチャネルを割当てるステップとをさらに含んでもよい。
【００１１】
【発明の実施の形態】
以下、図面を参照して、本発明の実施の形態を詳細に説明する。
【００１２】
［第１の例］
本発明の第１の実施の形態を、図１〜図３に基づいて説明する。
【００１３】
（概要）
本発明の概要について説明する。
【００１４】
本発明は、ＣＤＭＡ移動通信システムにおける交換機とＩＷＦ部（ｉｎｔｅｒｗｏｒｋｉｎｇ  ｆｕｎｃｔｉｏｎ）との間のＥ１チャネル割当装置に関する。
【００１５】
本装置は、チャネルバッファと、送信用ＳＩ  ＲＡＭ（ｓｅｒｉａｌ  ｉｎｔｅｒｆａｃｅ  ｒｏｕｔｉｎｇ  ＲＡＭ）と、受信用ＳＩＲＡＭと、通信プロセッサと、多重チャネル制御部と、直並列変換部（ｓｅｒｉａｌ−ｐａｒａｌｌｅｌ  ｃｏｎｖｅｒｔｉｎｇ  ｕｎｉｔ）とを備えている。
【００１６】
ここで、本装置の各部は、以下の機能をもつ。
【００１７】
チャネルバッファは、呼処理データを受信し格納する機能をもつ。
【００１８】
送信用ＳＩ  ＲＡＭは、呼処理データをＩＷＦ部に送信する時、５チャネルからなる送信用スーパーチャネルを運用するか、若しくは、１０チャネルからなる送信用スーパーチャネルを運用するかに対するＥ１チャネル割当情報を格納する機能をもつ。
【００１９】
受信用ＳＩＲＡＭは、ＩＷＦ部から送信された呼処理データを受信する時、５チャネルからなる受信用スーパーチャネルを運用するか、若しくは、１０チャネルからなる受信用スーパーチャネルを運用するかに対する情報をさらに含むＥ１チャネル割当情報を格納する機能をもつ。
【００２０】
通信プロセッサは、チャネルバッファに格納された呼処理データを読み出した後、受信された呼処理データを格納し、現在処理過程にある多数の呼類型に高速の呼と低速の呼との中、どちらの方がより多く含まれているかを判断して、送信用ＳＩ  ＲＡＭと受信用ＳＩ  ＲＡＭとの各々に格納されたＥ１チャネル割当情報を変更させる機能をもつ。
【００２１】
多重チャネル制御部は、送信用ＳＩ  ＲＡＭと受信用ＳＩ  ＲＡＭとの各々に格納されたＥ１チャネル割当情報を読み出し、Ｅ１チャネルに５チャネルからなる低速用スーパーチャネルを割当てるか、１０チャネルからなる高速用スーパーチャネルを割当てる機能をもつ。
【００２２】
直並列変換部は、呼処理データを通信プロセッサから受信すると同時に直列データに変換した後、該当スーパーチャネルを介してＩＷＦ部に伝送する一方、ＩＷＦ部から該当スーパーチャネルを介して呼処理データを受信して並列データに変換した後、通信プロセッサに伝送する機能をもつ。
【００２３】
（具体例）
以下、具体的な例を挙げて説明する。
【００２４】
図１は、本発明に係る、ＣＤＭＡ移動通信システムにおける交換機とＩＷＦ部との間のＥ１チャネル割当装置の概略構成を示す。
【００２５】
ＣＤＭＡ移動通信システムにおける交換機とＩＷＦ部との間にＥ１チャネルを割当てる本装置は、例えば、モトローラ社で設計した”ＭＰＣ８２６０”チップを用いて具現化することができる。
【００２６】
本装置は、チャネルバッファ１００と、送信用ＳＩ  ＲＡＭ２００と、受信用ＳＩ  ＲＡＭ３００と、通信プロセッサ４００と、多重チャネル制御部５００と、直並列変換部６００とから構成される。
【００２７】
チャネルバッファ１００は、上位プロセッサから伝送した呼処理データを受信して格納する一方、前記通信プロセッサ４００で出力した呼処理データを入力されて格納する。
【００２８】
送信ＳＩ  ＲＡＭ２００は、１６ビットエントリーをした一つのＥ１基準でビット、あるいはバイト単位で明示したルーチングテーブルであって、Ｅ１チャネル割当情報が格納されるメモリでもある。
【００２９】
Ｅ１チャネル割当情報は、呼処理データがＩＷＦ部１０に送信される時、５チャネルから構成された送信用スーパーチャネルを運用するか、でなければ、１０チャネルから構成された送信用スーパーチャネルを運用するかに対する情報である。
【００３０】
図２に示すように、送信用ＳＩ  ＲＡＭは、第１低速用スーパーチャネル格納領域２０１及び第１高速用スーパーチャネル格納領域２０２から構成される。
【００３１】
この場合、第１低速用スーパーチャネル格納領域２０１は、５チャネルからなる送信用スーパーチャネルに関するＥ１チャネル割当情報を格納するメモリ領域である。
【００３２】
また、第１高速用スーパーチャネル格納領域２０２は、１０チャネルからなる送信用スーパーチャネルに関するＥ１チャネル割当情報を格納するメモリ領域である。
【００３３】
一方、受信用ＳＩ  ＲＡＭ３００は、１６ビットエントリーを一つのＥ１基準でビット、あるいはバイト単位で明示したルーチングテーブルであって、Ｅ１チャネル割当情報が格納されるメモリである。
【００３４】
Ｅ１チャネル割当情報は、ＩＷＦ部１０から伝送した呼処理データを受信する時、５チャネルからなる受信用スーパーチャネルを運用するか、でなければ、１０チャネルからなる受信用スーパーチャネルを運用するかに対する情報である。
【００３５】
図３に示すように、受信用ＳＩ  ＲＡＭ３００は、第２低速用スーパーチャネル格納領域３０１及び第２高速用スーパーチャネル格納領域３０２から構成される。
【００３６】
この場合、受信用ＳＩ  ＲＡＭ３００の第２低速用スーパーチャネル格納領域３０１は、５チャネルからなる受信用スーパーチャネルに関するＥ１チャネル割当情報を格納するメモリ領域である。
【００３７】
また、第２高速用スーパーチャネル格納領域３０２は、１０チャネルからなる受信用スーパーチャネルに関する前記Ｅ１チャネル割当情報を格納するメモリ領域である。
【００３８】
通信プロセッサ４００は、チャネルバッファ１００に格納された呼処理データを読み出した後、直並列変換部６００に伝送する。一方、通信プロセッサ４００は、直並列変換部６００から呼処理データを受信すれば、チャネルバッファ１００に格納させる。
【００３９】
呼セットアップ過程中、上位プロセッサから多数個の呼類型に対する情報を受信されれば、その呼類型に関する情報を利用して多数個の呼の中で高速の呼が多いか、でなければ、低速の呼が多いかの如何を把握する。
【００４０】
もし、低速の呼がより多い場合、通信プロセッサ４００は、各々の送／受信ＳＩ  ＲＡＭ２００／３００のＥ１チャネル割当情報を５チャネルのスーパーチャネルで運用されるように変更させる一方、高速の呼がより多い場合には、各々の送／受信ＳＩ  ＲＡＭ２００／３００のＥ１チャネル割当情報を１０チャネルのスーパーチャネルで運用されるように変更させる。
【００４１】
多重チャネル制御部５００は、各々の送／受信ＳＩ  ＲＡＭ２００／３００に格納されたＥ１チャネル割当情報を読み出し、Ｅ１チャネルに低速用５チャネルのスーパーチャネル、または高速用１０チャネルのスーパーチャネルを割当てる役割をする。
【００４２】
直並列変換部６００は、通信プロセッサ４００から呼処理データを受信して直列データに変換した後、該当スーパーチャネルを介してＩＷＦ部１０に伝送する。また、ＩＷＦ部１０から該当スーパーチャネルを介して呼処理データを受信して並列データに変換した後、通信プロセッサ４００に伝送する役割をする。
【００４３】
［第２の例］
本発明の第２の実施の形態を、図４〜図６に基づいて説明する。なお、前述した第１の例と同一部分についてはその説明を省略し、同一符号を付す。
【００４４】
（概要）
まず、概要について説明する。
【００４５】
本発明は、ＣＤＭＡ移動通信システムにおける交換機とＩＷＦ部との間のＥ１チャネル割当方法に関する。なお、本方法は、前述した第１の例における図１のＥ１チャネル割当装置を用いて実行可能である。
【００４６】
本方法は、以下のステップＡ〜ステップＤによって構成される。
【００４７】
ステップＡは、通信プロセッサが上位プロセッサから現在処理中の多数個の呼類型に対する呼類型情報を受信する処理である。
【００４８】
ステップＢは、通信プロセッサが現在処理中の多数個の呼類型から高速の呼がより多く含まれているか、低速の呼がより多く含まれているかに対する呼類型情報を利用して把握する処理である。
【００４９】
ステップＣは、現在処理中の多数個の呼類型で高速の呼がより多ければ、通信プロセッサが各々の送／受信用ＳＩ  ＲＡＭの第１、２高速用スーパーチャネル格納領域を活性領域（ａｃｔｉｖｅ  ｚｏｎｅ）に指定すると共に、各々の送／受信ＳＩ  ＲＡＭの第１、２低速用スーパーチャネル格納領域をシャドーゾン（ｓｈａｄｏｗ  ｚｏｎｅ）に指定する処理である。
【００５０】
ステップＤは、多重チャネル制御部が各々の送／受信ＳＩ  ＲＡＭに格納された第１、２高速用スーパーチャネル格納領域のＥ１チャネル割当情報を読み出した後、そのＥ１チャネル割当情報に応じてＥ１チャネルに高速用１０チャネルのスーパーチャネルを割当てる処理である。
【００５１】
（具体例）
以下、具体的な例を挙げて説明する。
【００５２】
図４は、本発明に係る、ＣＤＭＡ移動通信システムにおける交換機とＩＷＦ部との間のＥ１チャネル割当方法を示すフローチャートである。なお、ここでは、前述した図１のＥ１チャネル割当装置を用いて処理を実行する場合について説明する。
【００５３】
ステップ３１０で、通信プロセッサ４００は、上位プロセッサから現在処理中の多数個の呼類型に対する情報を受信する。
【００５４】
ステップＳ３２０で、通信プロセッサ４００は、その呼類型に関する情報を利用して現在処理中の多数個の呼の中で高速の呼が多いか、でなければ、低速の呼が多いかの如何を把握する。
【００５５】
ここで、上述した高速の呼は、８／１３Ｋｂｐｓの速度で提供されたＩＳ−９５Ａサービスを意味し、上述した低速の呼は、６４Ｋｂｐｓの速度で提供されたＩＳ−９５Ｂサービスを意味する。
【００５６】
ステップＳ３３０で、通信プロセッサ４００は、その呼類型に関する情報を利用して現在処理中の多数個の呼の中で高速の呼が多いか、でなければ、低速の呼が多いかの如何を把握する前記ステップの結果、現在処理中の多数個の呼の中で高速の呼が多い場合、通信プロセッサ４００は、送信／受信ＳＩ  ＲＡＭ２００／３００の第１、２高速用スーパーチャネル格納領域２０２／３０２を活性領域に指定すると共に、送信／受信ＳＩ  ＲＡＭ２００、３００の第１、２低速用スーパーチャネル格納領域２０１、３０１をシャドーゾンに指定する。
【００５７】
ステップＳ３４０で、多重チャネル制御部５００は、送信／受信ＳＩ  ＲＡＭ２００／３００の各々に格納された第１、２高速用スーパーチャネル格納領域２０２、３０２のＥ１チャネル割当情報を読み出した後、そのＥ１チャネル割当情報を利用してＥ１チャネルに高速用１０チャネルのスーパーチャネルを割当てる。
【００５８】
従って、ＣＤＭＡ移動通信システム内の交換機とＩＷＦ部との間の呼処理データ伝送は、図５に示すように、一周期の間高速用１０チャネルのスーパーチャネルを介して行われることになる。
【００５９】
ステップＳ３５０で、通信プロセッサ４００がその呼類型に関する情報を利用して現在処理中の多数個の呼の中で、高速の呼が多いか、でなければ、低速の呼が多いかの如何を把握する前記ステップの結果、現在処理中の多数個の呼の中で低速の呼が多ければ、通信プロセッサ４００は、各々の送信／受信ＳＩ  ＲＡＭ２００、３００の第１、２低速用スーパーチャネル格納領域２０１、３０１を活性領域に指定すると共に、送信／受信ＳＩ  ＲＡＭ２００、３００の第１、２高速用スーパーチャネル格納領域２０２、３０２をシャドーゾンに指定する。
【００６０】
ステップＳ３６０で、多重チャネル制御部５００は、送／受信ＳＩ  ＲＡＭ２００／３００の各々に格納された第１、２低速用スーパーチャネル格納領域２０１、  ３０１のＥ１チャネル割当情報を読み出した後、そのＥ１チャネル割当情報を利用してＥ１チャネルに低速用５チャネルのスーパーチャネルを割当てる。
【００６１】
従って、ＣＤＭＡ移動通信システム内の交換機とＩＷＦ部との間の呼処理データ伝送は、図６に示すように、一周期の間低速用５チャネルのスーパーチャネルを介して行われることになる。
【００６２】
なお、本発明の技術思想は、上記好ましい実施の形態によって具体的に記述されたが、上記した実施の形態はその説明のためのものであって、その制限のためのものでないことに留意されるべきである。また、本発明の技術分野の通常の専門家であるならば、本発明の技術思想の範囲内で種々の実施の形態が可能であることを理解されるべきである。
【００６３】
【発明の効果】
以上説明したように、本発明によれば、ＣＤＭＡ移動通信システムにおける交換機とＩＷＦ部との間のＥ１チャネル割当装置に、図１に示すような、チャネルバッファと、送信用ＳＩ  ＲＡＭと、受信用ＳＩＲＡＭと、通信プロセッサと、多重チャネル制御部と、直並列変換部とを設け、または、図４に示すような、Ｅ１チャネル割当処理を実行するようにしたので、可変的なＥ１スーパーチャネル割当を行い、低速のＩＳ−９５Ａと高速のＩＳ−９５Ｂとのシステム全てを支援するが可能となり、これにより、上記ＩＳ−９５Ｂシステムに基づいた高速データサービスを提供する時、トラフィック経路輻輳が頻繁に生じることによって電話接続が頻繁に切れるといった現象を防止して、質の高い移動通信サービスを得ることができる。
【図面の簡単な説明】
【図１】本発明の第１の実施の形態である、ＣＤＭＡ移動通信システムにおける交換機とＩＷＦ部との間のＥ１チャネル割当装置の構成を示すブロック図である。
【図２】本発明のＣＤＭＡ移動通信システムにおける交換機とＩＷＦ部との間のＥ１チャネル割当装置内の送信用ＳＩ  ＲＡＭの概略構成を示す説明図である。
【図３】本発明のＣＤＭＡ移動通信システムにおける交換機とＩＷＦ部との間のＥ１チャネル割当装置内の受信用ＳＩ  ＲＡＭの概略構成を示す説明図である。
【図４】本発明の第２の実施の形態である、ＣＤＭＡ移動通信システムにおける交換機とＩＷＦ部との間のＥ１チャネル割当方法を示すフローチャートである。
【図５】ＣＤＭＡ移動通信システムにおける交換機とＩＷＦ部との間の高速用スーパーチャネルを介した信号処理を示す説明図である。
【図６】ＣＤＭＡ移動通信システムにおける交換機とＩＷＦ部との間の低速用スーパーチャネルを介した信号処理を示す説明図である。
【符号の説明】
１０        ＩＷＦ部
１００      チャネルバッファ
２００      送信用ＳＩ  ＲＡＭ
３００      受信用ＳＩ  ＲＡＭ
４００      通信プロセッサ
５００      多重チャネル制御部
６００      直並列変換器
７００      上位プロセッサ
【図１】
0003616030.tif 000002
【図２】
0003616030.tif 000003
【図３】
0003616030.tif 000004
【図４】
0003616030.tif 000005
【図５】
0003616030.tif 000006
【図６】
0003616030.tif 000007